(57)【特許請求の範囲】
【請求項１】
空気調和装置本体が熱交換器及び送風機を備え、前記熱交換器に対向した前記空気調和装置の前面及び天面に吸込口を備え、この吸込口にフィルタを備えた空気調和装置において、
前記フィルタは、前記前面及び前記天面の前記吸気口を覆うように湾曲して格納され、
前記フィルタを昇降枠に支持して昇降自在とし、前記昇降枠は、空気調和装置本体内に収容可能な大きさの枠を複数段に積層して構成され、
前記昇降枠は、前記フィルタが空気調和装置本体内に格納された状態で、前記フィルタの付着面が上を向くように、所定角度傾いた状態で固定され、前記昇降枠は、降下時に、前記所定角度傾いた状態で引き出され、最下降位置まで降下した状態では、前記フィルタの全体を吹出口の下方に露出させることを特徴とする空気調和装置。
【請求項２】
請求項１記載の空気調和装置において、
前記フィルタの前記付着面が傾く所定角度は、鉛直方向に対し３°以上１５°以下であること、
を特徴とする空気調和装置。
【発明の詳細な説明】
【技術分野】
【０００１】
本発明は、空気調和装置本体に対し昇降自在なフィルタ（吸込みフィルタ）を備えた壁掛け型の空気調和装置に関する。
【背景技術】
【０００２】
従来、壁掛け型の空気調和装置において、被調和室内から取り込んだ空気に含まれる粉塵を取り除くフィルタと、このフィルタを着脱自在に保持すると共に昇降自在に駆動する昇降装置とを空気調和装置本体に備え、フィルタの清掃時には、フィルタを空気調和装置本体から所定位置まで下降させ、その位置で清掃のためにフィルタを取り外しできるようにしたものが提案されている（例えば、特許文献１参照）。
【特許文献１】特開２００１−２４８８９４号公報
【発明の開示】
【発明が解決しようとする課題】
【０００３】
上記従来の空気調和装置では、フィルタが昇降する際に、フィルタに付着した塵埃が脱落するおそれがあった。
【０００４】
本発明は、上述した事情に鑑みてなされたものであり、昇降自在なフィルタを備えた空気調和装置において、フィルタに付着した塵埃の脱落を防止することを目的とする。
【課題を解決するための手段】
【０００５】
上記課題を解決するため、本発明は、空気調和装置本体が熱交換器及び送風機を備え、前記熱交換器に対向した前記空気調和装置の前面及び天面に吸込口を備え、この吸込口にフィルタを備えた空気調和装置において、前記フィルタは、前記前面及び前記天面の前記吸気口を覆うように湾曲して格納され、前記フィルタを昇降枠に支持して昇降自在とし、前記昇降枠は、空気調和装置本体内に収容可能な大きさの枠を複数段に積層して構成され、前記昇降枠は、前記フィルタが空気調和装置本体内に格納された状態で、前記フィルタの付着面が上を向くように、所定角度傾いた状態で固定され、前記昇降枠は、降下時に、前記所定角度傾いた状態で引き出され、最下降位置まで降下した状態では、前記フィルタの全体を吹出口の下方に露出させることを特徴とする空気調和装置を提供する。
上記構成によれば、フィルタの付着面が、上を向くように所定角度傾けられた状態で降下するため、フィルタの付着面に付着した塵埃と付着面との間の付着力が、例えば、フィルタが鉛直に取り付けられている場合と比較して大きくなり、塵埃の脱落を防止できるので、塵埃の落下を気にせず空気調和装置を使用できる。
ここで、付着面とは、フィルタにおいて吸気口から吸い込まれた塵埃が付着する面を指す。
【０００６】
また、上記構成において、吸込フィルタの前記付着面が傾く所定角度は、鉛直方向に対し３°以上１５°以下である構成としても良い。
この場合、フィルタの前記付着面が傾く所定角度は、鉛直方向に対し３°以上であるため、塵埃と付着面との間の付着力が十分大きくなり、塵埃の脱落を防止できる。また、所定角度が１５°以下であるため、空気調和装置の厚み方向の幅が大きくなりすぎることがない。
また、昇降枠が傾いた状態で取り付けられているので、昇降中も含めてフィルタが常に所定角度傾いた状態を保つことができる。
【発明の効果】
【０００７】
本発明によれば、昇降自在なフィルタを備えた空気調和装置において、フィルタに付着した塵埃の脱落を防止できるので、塵埃の落下を気にせず使用できる。
【発明を実施するための最良の形態】
【０００８】
以下、図面を参照しながら、本発明の一実施の形態について説明する。
図１は、壁掛け型の空気調和装置の斜視図、図２はその断面図である。空気調和装置１は樹脂成形した空気調和装置本体３と、空気調和装置本体３の前面側に配置された樹脂成形の前面パネル５とを備え、空気調和装置本体３は、図２に示すように、その内側に断面略Ｃ字状の熱交換器７と、この熱交換器７の内側に配置した送風機９とを備えている。空気調和装置本体３は、前面１１及び天面１３（図３参照）に吸込口１５，１７を備えており、上記送風機９の駆動により、前面１１及び天面１３の吸込口１５，１７から吸い込んだ室内空気を、熱交換器７に通流し、ここで熱交換した空気は、空気調和装置本体３の送風機９の下流に設けた吹出口１９から室内に吹き出される。
【０００９】
上記吹出口１９は、スクロール部２１と舌部２２とで囲まれており、スクロール部２１の出口側には風向変更用の複数の縦羽根２３が配置され、各縦羽根２３同士はスクロール部２１の裏側でリンク部材２４により連結され、縦羽根駆動モータ（不図示）に連結されている。２５は水平フラップであり、フラップ駆動モータ（不図示）に連結されている。該フラップ２５の回動姿勢によって吹出口１９を開閉し、かつ運転条件に応じて、当該吹出口１９から吹き出される空気の吹き出し方向を上下方向に設定可能であり、複数の縦羽根２３は、運転条件に応じて、当該吹出口１９から吹き出される空気の吹き出し方向を左右方向に設定可能である。
【００１０】
本実施の形態では、空気調和装置本体３の前面１１の吸込口１５と、上述した前面パネル５との間に、フィルタ昇降装置３１が配置されている。フィルタ昇降装置３１は、フィルタ３３を昇降するものであり、該フィルタ３３は、前面１１の吸込口１５と天面１３の吸込口１７とを同時に覆い、吸込口１５，１７から吸い込まれる室内空気中の塵埃を捕集する。図３は、前面パネル５を取り外し、フィルタ昇降装置３１を下降動作し、フィルタ３３を降下した状態を示し、図４は、フィルタ昇降装置３１そのものを示す。フィルタ昇降装置３１は、図４に示すように、１〜４段に区別された樹脂成形の昇降枠３５〜３８を備え、昇降枠３５〜３８がすべて引き出されると、図３の状態となって、フィルタ３３が降下し、昇降枠３５〜３８がすべて引き込まれると、図２の状態となって、フィルタ３３が吸込口１５，１７を覆うように格納される。ここで、図２に示すように、フィルタ昇降装置３１は、昇降枠３５〜３８の吸込口１５に対向する面が上を向くように、空気調和装置本体３の前面１１に傾斜して取り付けられ、昇降枠３５〜３８は、フィルタ３３が鉛直方向に対して所定角度傾いた状態を保ちながら昇降する。
【００１１】
１段目の昇降枠３５は、図４に示すように、枠体３５Ａの内側を、左右及び上下に延出する補強用桁部３５Ｂで連結し、枠体３５Ａの両側には、断面略コ字状の一対のガイド３５Ｃを備えている。２段目の昇降枠３６は、同様に、枠体３６Ａの内側を、左右及び上下に延出する補強用桁部３６Ｂで連結し、枠体３６Ａの両側には、断面略コ字状の一対のガイド３６Ｃを備え、このガイド３６Ｃは、１段目の昇降枠３５のガイド３５Ｃ溝内に収納自在である。３段目の昇降枠３７は、枠体３７Ａの内側を、左右及び上下に延出する補強用桁部３７Ｂで連結し、枠体３７Ａの両側には、断面略コ字状の一対のガイド３７Ｃを備え、このガイド３７Ｃは、２段目の昇降枠３６のガイド３６Ｃ溝内に収納自在である。また、最終段の４段目の昇降枠３８は、枠体３８Ａの内側を、左右及び上下に延出する補強用桁部３８Ｂで連結し、枠体３８Ａの両側の端縁部３８Ｃは、３段目の昇降枠３７のガイド３７Ｃ溝内に収納自在である。
ここで、４段目（最下段）の昇降枠３８の端縁部３８Ｃには上下方向に延在する案内リブ３８Ｇが形成されている。この案内リブ３８Ｇは、３段目の昇降枠３７のガイド３７Ｃの内側面３７Ｃ１に相当する位置に設けられている。４段目の昇降枠３８の端縁部３８Ｃが３段目の昇降枠３７のガイド３７Ｃ溝内に収納される場合、このガイド３７Ｃの内側面３７Ｃ１に上記案内リブ３８Ｇが案内される。このため、４段目の昇降枠３８の端縁部３８Ｃを３段目の昇降枠３７のガイド３７Ｃ溝内にスムーズに移動して収納することができる。また、この案内リブ３８Ｇは、４段目の昇降枠３８の端縁部３８Ｃを補強する補強リブとしても機能する。
【００１２】
各昇降枠３５〜３８の中央には、縦に延びるガイド３５Ｄ〜３８Ｄが設けられ、ガイド３５Ｄ〜３８Ｄは、昇降枠３５〜３８の昇降時に、ガイド３５Ｄがガイド３６Ｄに収納され、ガイド３６Ｄがガイド３７Ｄに収納され、さらにガイド３７Ｄがガイド３８Ｄに収納されて、入れ子式に収納自在である。
【００１３】
４段目の昇降枠３８の下端には、図４に破線で示すように、左右２分割の状態でフィルタ３３が取り付けられる。このフィルタ３３は、図５に示すように、プレフィルタ６０と、このプレフィルタ６０の前面の略全域を塞ぐ状態でプレフィルタ６０に取り付けられる使い捨てフィルタ素材６１とを備えて構成されている。
プレフィルタ６０は、フィルタ支持枠６２の内側を左右及び上下に延出する桁部６３で連結し、これらフィルタ支持枠６２及び桁部６３とで形成された開口にプレフィルタ素材６６が取り付けられている。本構成では、プレフィルタ６０は、樹脂材料によって一体的に成形され、略Ｌ字形状に湾曲できる程度の弾性を有している。
フィルタ支持枠６２の上枠部６２Ａおよび下枠部６２Ｂには、それぞれ使い捨てフィルタ素材６１をプレフィルタ６０に固定するためのフック機構７０が設けられている。このフック機構７０は、フィルタ支持枠６２の内側に形成された突起部７１と、この突起部７１に嵌る嵌合孔７４を有するヒンジ状に曲がる押さえ部７２とを備える。使い捨てフィルタ素材６１をプレフィルタ６０に固定する場合には、使い捨てフィルタ素材６１の係止孔６４を突起部７１に通し、押さえ部７２を曲げて嵌合孔７４を突起部７１に嵌め込む。これにより、簡単に使い捨てフィルタ素材６１をプレフィルタ６０に固定することができる。
また、フィルタ支持枠６２の下枠部６２Ｂの略中央には、フィルタ３３を昇降枠３８に連結するための２つの連結孔６７が形成されている。また、フィルタ支持枠６２の縦枠部６２Ｃには、下方が幅広となった幅広部６２Ｃ１が形成されている。
【００１４】
一方、４段目の昇降枠３８の上端部には、図４に示すように、フィルタ３３の中段部を押さえる押さえ片３８Ｅが設けられている。押さえ片３８Ｅは、この押さえ片３８Ｅの下側にフィルタ支持枠６２の幅広部６２Ｃ１が挿入することにより、この幅広部６２Ｃ１を支持するものである。本構成では、押さえ片３８Ｅは、この押さえ片３８Ｅの下端部の方が上端部よりも枠体３８Ａとの隙間が大きく形成されている。このため、４段目の昇降枠３８にフィルタ３３を取り付ける場合に、このフィルタ３３の上端部を容易に押さえ片３８Ｅの下側に挿入することができ、取り付け作業の簡易化を図ることができる。
また、この押さえ片３８Ｅは、フィルタ３３の略中段部を押さえるため、フィルタ３３が昇降枠３５〜３８から離れる側に倒れることが防止され、この昇降枠３５〜３８をすべて引き込む際に、フィルタ３３はスムーズに上記吸込口１５、１７を覆うように格納される。
また、４段目の昇降枠３８の下端部には、上記連結孔６７に嵌合する連結片３８Ｆが形成されている。この連結片３８Ｆは、連結孔６７と略同じ大きさに形成されており、小さな力で連結片３８Ｆを連結孔６７に嵌め込むことができるようになっている。本構成では、４段目の昇降枠３８に設けられた押さえ片３８Ｅの下側にフィルタ３３を挿入するとともに、この４段目の昇降枠３８の下端部に設けられた連結片３８Ｆにフィルタ３３（プレフィルタ６０）に設けられた連結孔６７を嵌め込むといった簡単な作業でフィルタ３３を昇降枠３５〜３８に保持させることができる。
なお、フィルタ昇降装置３１を構成する昇降枠３５〜３８は、１段目の枠体３５Ａの両上端３５Ｆを、図３に示すように、空気調和装置本体３の前面１１の両側上端に、ビス（図示せず）等の留め具を介して取り付けられている。例えば、両上端３５Ｆは、空気調和装置本体３を構成する上フレーム４８と下フレーム４７とのいずれか、又は両方に取り付けられている。
４段目の昇降枠３８に取り付けられたフィルタ３３は、昇降枠３８と略平行に傾斜しており、フィルタ３３において吸込口１５に対向する付着面３３Ａが上を向くように傾斜して取り付けられている。塵埃はこの付着面３３Ａに多量に付着する。
【００１５】
次に、フィルタ昇降装置３１の機構について説明する。
図６は、フィルタ昇降装置３１を前面側から見た斜視図であり、図７は、フィルタ昇降装置３１を背面側からみた斜視図である。
図６に示すように、１段目の枠体３５Ａの右側のガイド３５Ｃには、昇降枠３５〜３８を昇降する正逆回転可能な直流ステッピングモータにより構成されたフィルタ昇降モータ３９が取り付けられている。このフィルタ昇降モータ３９の出力軸は、図７に示すように、ギア等を介して、１段目の昇降枠３５の下端部に設けられた連結軸５１に連結されている。この連結軸５１の両端部にはそれぞれピニオン５３が設けられ、このピニオン５３は２段目の昇降枠３６の背面にそれぞれ形成されたラック５５に噛み合っている。
また、１段目の昇降枠３５の下端部には、第１ベルト４１の一端が固定されている。この第１ベルト４１は、図６に示すように、２段目の昇降枠３６の上端に形成された上部ローラ５６に巻かれて、この２段目の昇降枠３６の前面を下方に延びる。そして、この第１ベルト４１の他端は、図示は省略したが、２段目の昇降枠３６の下端に形成された下部ローラ５７に巻かれて、上記ラック５５の上を上方に延び、上記１段目の昇降枠３５の下端部に連結されている。さらに、第１ベルト４１の略中間部は、図４に示すように、３段目の昇降枠３７の上端部に形成されたベルト固定部３７Ｅに固定されている。
【００１６】
また、２段目の昇降枠３６の下端部３６Ｅには、図７に示すように、上記第１ベルト４１よりも内側に配置される第２ベルト４２の一端が固定されている。この第２ベルト４２は、図６に示すように、３段目の昇降枠３７の上端に形成された上部ローラ５８に巻かれて、この３段目の昇降枠３７の前面を下方に延びる。そして、この第２ベルト４２の他端は、図７に示すように、３段目の昇降枠３７の下端に形成された下部ローラ５９に巻かれて、当該３段目の昇降枠３７の背面を上方に延び、上記２段目の昇降枠３６の下端部３６Ｅに連結されている。さらに、第２ベルト４２の略中間部は、図４に示すように、４段目の昇降枠３８の上端部に形成されたベルト固定部３８Ｈに固定されている。
フィルタ昇降モータ３９が正回転された場合、ラック５５とピニオン５３との噛み合いによって、２段目の昇降枠３６が下降する。ここで、２段目の昇降枠３６に巻かれた第１ベルト４１の略中間部は３段目の昇降枠３７の上端部に形成されたベルト固定部３７Ｅに固定されているため、２段目の昇降枠３６の下降に伴い３段目の昇降枠３７も下降する。さらに、３段目の昇降枠３７に巻かれた第２ベルト４２の略中間部は４段目の昇降枠３８の上端に形成されたベルト固定部３８Ｈに固定されているため、３段目の昇降枠３７の下降に伴い４段目の昇降枠３８も下降する。
これにより、フィルタ昇降モータ３９が正回転駆動されると、図３に示すように、昇降枠３５〜３８がすべて引き出されて、フィルタ３３が降下する。本構成では、フィルタ昇降装置３１は、少なくともフィルタ３３の長さ以上、本体３の外部に昇降枠３５〜３８を引き出し可能となっている。言い換えれば、フィルタ昇降装置３１は、フィルタ３３の略全面が本体３の外部に露出する長さＨだけ、本体３の外部に昇降枠３５〜３８を引き出せるようになっている。この構成によれば、フィルタ３３の着脱時に、このフィルタ３３の略全面が外部に露出するため、フィルタ３３の着脱作業を非常に容易に行うことができる。さらに、従来のものに比べて、４段目、すなわち最下段の昇降枠３８がより低い位置まで下降するため、背の低いユーザであっても簡単にフィルタ３３の着脱を行うことができる。
一方、フィルタ昇降モータ３９が逆回転された場合、ラック５５とピニオン５３との噛み合いによって、２段目の昇降枠３６が上方に引き上げられるとともに、上記第１ベルト４１及び第２ベルト４２によって、３段目の昇降枠３７及び４段目の昇降枠３８が上方に引き上げられる。これにより、フィルタ昇降モータ３９が逆回転駆動されると、図２に示すように、昇降枠３５〜３８がすべて引き込まれて、フィルタ３３が格納される。
【００１７】
本構成では、フィルタ昇降装置３１は、上述のように、フィルタ３３の略全面を本体３の外部に露出するために、１〜４段に区別された昇降枠３５〜３８を備えて構成されている。ここで、フィルタ３３の略全面を本体３の外部に露出する目的であれば、４段に限らず、例えば、３段や５段の構造とすることも考えられる。しかしながら、フィルタ昇降装置を３段の昇降枠で構成した場合、各段の昇降枠の高さが大きくなるため、これら昇降枠を収容する空気調和装置本体が高さ方向に大きくなってしまう。
一方、フィルタ昇降装置を５段の昇降枠で構成した場合、各昇降枠を上昇・下降するための機構が複雑になるとともに、各昇降枠が５段に積層されるため、空気調和装置本体が厚み方向に大きくなってしまう。
これに対して、本構成では、フィルタ昇降装置３１を４段の昇降枠３５〜３８で構成したため、従来のものに比べて空気調和装置本体３を高さ方向及び厚み方向に大型化することなく当該本体３内にフィルタ昇降装置３１を配置することができる。
【００１８】
また、昇降枠３５〜３８がすべて引き出された状態では、図３に示すように、１段目の枠体３５Ａの上縁が、所定位置まで低く下がって維持されており、枠体３５Ａの上縁の上方に形成される空間を通じて、電気式除塵フィルタ４０が装着される。この電気式除塵フィルタ４０は、図２に示すように、熱交換器７とフィルタ３３との間に装着され、フィルタ３３を通過した室内空気中の塵埃を捕集が可能である。
【００１９】
フィルタ３３は、上述したように４段目の昇降枠３８の下端に固定されるため、昇降枠３５〜３８が上昇し、フィルタ３３が空気調和装置本体３の前面１１から天面１３に進入する過程では、フィルタ３３の上部が湾曲して前面１１から天面１３に進入する。
この空気調和装置本体３の天面１３は、図２に示すように、空気調和装置本体３の上部３Ａと、この上部３Ａの上に間隔δをあけて着脱自在に取り付けられる天面パネル４３とで構成され、上述したフィルタ３３の上部は湾曲して該隙間δ内に進入し、昇降枠３５〜３８がすべて引き込まれた状態（図２）では、フィルタ３３が、前面１１及び天面１３の各吸込口１５，１７を同時に覆う。
【００２０】
本実施の形態では、図３に示すように、天面パネル４３の前縁部に対し、各フィルタ３３に対応して、フィルタ３３の上部の方向転換部、すなわちフィルタ３３が前面１１から天面１３に方向転換する部位に突出して、フィルタ３３の上部を前面１１から天面１３に滑らかに案内可能に、フィルタ案内部４３Ａが一体に設けられている。また図２に示すように、方向転換した後のフィルタ３３の先端部を、天面パネル４３の下面に対し滑らかに案内自在に、天面パネル４３の前後方向に延びる桁部４３Ｂの下面に、湾曲リブ４５が一体に設けられている。この構成では、フィルタ案内部４３Ａ、及び湾曲リブ４５の協働によって、フィルタ３３の上部が、空気調和装置本体３の前面１１から天面１３に対し、滑らかに案内されて進入が可能となる。
【００２１】
図８は、昇降枠３５〜３８が降下し始めた段階を示す断面図である。図９は、昇降枠３５〜３８が降下しきった段階を示す断面図である。
上記前面パネル５は、図２に示すように、空気調和装置１の不作動状態において、フィルタ昇降装置３１を完全に覆うように、空気調和装置本体３の前面１１に隙間無く閉じている。そして、空気調和装置１を作動する段階、或いはフィルタ昇降装置３１を作動し、昇降枠３５〜３８を降下する段階には、図８及び図９に示すように、リンク機構４６を介して、前面パネル５が前方に押し出され、空気吸い込みのための隙間確保、或いは昇降枠３５〜３８の降下のための隙間が確保される。
【００２２】
フィルタ昇降装置３１は、上述したように、昇降枠３５〜３８の吸込口１５に対向する面が上を向くように、空気調和装置本体３の前面１１に傾斜して取り付けられている。具体的には、図９に示すように、フィルタ昇降装置３１は、昇降枠３５〜３８に支持されるフィルタ３３の付着面３３Ａが鉛直方向に対して角度Ａで傾斜するように取り付けられている。
この角度Ａは、昇降枠３５〜３８を下降する際に、フィルタ３３の付着面３３Ａに付着した塵埃が、付着面３３Ａから脱落しない角度に設定され、本実施形態では、角度Ａは３°であり、好ましくは、３°以上１５°以下である。
また、フィルタ３３が上を向くように角度Ａで傾斜しているため、ユーザがフィルタ３３の着脱作業をし易いという利点がある。
【００２３】
ここで、フィルタ３３に付着した塵埃と付着面３３Ａとの間の付着力について説明する。
図９に示すように、昇降枠３５〜３８がすべて引き出された状態では、付着面３３Ａに付着した塵埃は、重力Ｇを受けており、付着面３３Ａは、鉛直方向に対し角度Ａで付着面３３Ａが上を向くように傾斜しているため、重力Ｇは、塵埃が付着面３３Ａの斜面に沿って下方向に引き寄せられる力Ｙと、塵埃が付着面３３Ａに垂直に押し付けられる力Ｘとに分解される。付着面３３Ａが傾斜していることで生じる力Ｘにより、塵埃はフィルタ３３に押し付けられるため、例えば、付着面３３Ａが鉛直に取り付けられた場合と比較して、塵埃と付着面３３Ａとの間の付着力が大きくなるため、フィルタ３３が昇降する際に塵埃の付着面３３Ａからの脱落を防止できる。
また、角度Ａは、３°以上とすることで、より効果的な付着力が得られ、塵埃の付着面３３Ａからの脱落を防止できる。角度Ａが大きいほど、塵埃の付着面３３Ａからの脱落を防止する効果があるが、この角度Ａが１５°を超えると、空気調和装置１の厚み方向の幅が許容値を超えるといった問題が生じる。このため、角度Ａの上限は１５°以下であることが好ましい。
さらに、空気調和装置１の送風機が停止され、昇降枠３５〜３８がすべて引き込まれた状態においても、付着面３３Ａが傾斜しているため、塵埃の脱落を防止できる。
【００２４】
このように、吸込口１５，１７にフィルタ３３を備えた空気調和装置１において、フィルタ３３を昇降枠３５〜３８に支持して昇降自在とし、降下時のフィルタ３３の付着面３３Ａが上を向くようにフィルタ３３が所定角度傾けられているため、塵埃が付着面３３Ａに垂直に押し付けられる力Ｘが生じ、フィルタ３３の付着面３３Ａに付着した塵埃と付着面３３Ａとの間の付着力が大きくなり、塵埃の脱落を防止できる。
【００２５】
次いで、空気調和装置１の電気的構成について説明する。
図１０は、空気調和装置１の制御系の構成を示す図である。この図１０には、空気調和装置１と、室内機たる空気調和装置本体３に接続される室外機８７と、ユーザが空気調和装置本体３を操作するリモコン（リモートコントローラ）５０とを含む空気調和装置１全体の制御系を図示する。
図１０に示すように、空気調和装置本体３は、空気調和装置１の各部を制御するマイコン１０１と、マイコン１０１により実行されるプログラムやマイコン１０１の処理を定めるパラメータ等を記憶したＲＯＭ１０２と、マイコン１０１が処理するプログラムやデータ等を一時的に記憶するメモリ１０３と、を備えている。マイコン１０１は、ＲＯＭ１０２に記憶されたプログラムを読み出して、メモリ１０３に形成されるワークエリアに展開して実行し、ＲＯＭ１０２に記憶された各種データ等を処理することで、空気調和装置１を制御する機能を実現する。
【００２６】
マイコン１０１には、空気調和装置１の冷媒回路（図示略）に配設された電磁弁（図示略）や電動膨張弁（図示略）の開閉および開度を制御する弁開閉制御部１０４、空気調和装置本体３が吸い込んだ吸込空気温度（被調和室空気の温度）を検出する吸込温度センサ１０５、空気調和装置本体３が備える熱交換器７の温度を検出する熱交換器温度センサ１０６、上記冷媒配管における圧力を検出する冷媒圧力センサ１０７、ＬＥＤの点灯により空気調和装置１の動作状態を表示する表示部１０８がそれぞれ接続されている。
マイコン１０１は、吸込温度センサ１０５および熱交換器温度センサ１０６により検出される温度や、冷媒圧力センサ１０７により検出される冷媒圧力等に基づいて、弁開閉制御部１０４を制御して電磁弁や電動膨張弁等を開閉させて空気調和運転を実施する。
【００２７】
さらに、マイコン１０１には、モータ駆動回路１０９〜１１２が各々接続されている。モータ駆動回路１０９〜１１２は、ファンモータ１１３、フィルタ昇降モータ３９、縦羽根駆動モータ１１５およびフラップ駆動モータ１１６への電力供給や制御パルスの出力を行い、これらモータを駆動する。モータ駆動回路１０９は、送風機９に連結されたファンモータ１１３を駆動させ、送風機９による送風を行わせる。モータ駆動回路１１０は、フィルタ昇降装置３１を駆動するフィルタ昇降モータ３９を動作させる。
また、空気調和装置本体３には、フィルタ３３の収納位置において、昇降枠３５〜３８が当接して押下されるリミットスイッチ１２５が設けられており、このリミットスイッチ１２５と、上記モータ駆動回路１１０及びフィルタ昇降モータ３９とを備えてフィルタ昇降装置３１が構成されている。
【００２８】
モータ駆動回路１１１は、縦羽根２３に連結された縦羽根駆動モータ１１５を駆動して、縦羽根２３を揺動させる。モータ駆動回路１１２は、フラップ２５に連結されたフラップ駆動モータ１１６を駆動して、フラップ２５を回動させる。
また、マイコン１０１は、室外機８７が備えるモータ駆動回路８８に接続されている。モータ駆動回路８８は、圧縮機８９を駆動するモータ（図示略）を駆動する。
【００２９】
そして、マイコン１０１には、リモコン５０から送信される赤外線信号を受光する受光部１２０が接続されており、マイコン１０１は、受光部１２０により受光した赤外線信号に従って、空気調和装置１の各部を制御する。
ここで、リモコン５０は、リモコン５０の各部を制御するマイコン６５と、このマイコン６５に接続された発光部８６とを備えている。
マイコン６５は、スイッチパネル８３に設けられた運転ボタンや停止ボタン、温度設定ボタン等の各ボタンの操作を検出して、操作されたボタンに対応する操作信号を生成して、発光部８６に出力するとともに、操作内容に応じてＬＣＤパネル５２の表示状態を更新する。発光部８６は、赤外光を発するＬＥＤ等の光源を備え、マイコン６５から入力される操作信号に従って光源を発光させる。
【００３０】
そして、受光部１２０によって受光した赤外線信号が、運転ボタンの操作を示す操作信号であった場合、マイコン１０１は、この操作信号に従って、空気調和装置本体３を含む空気調和装置１の運転を開始し、空気調和運転を開始する。
すなわち、マイコン１０１は、モータ駆動回路８８により圧縮機８９を駆動させるとともに、弁開閉制御部１０４を制御して、空気調和装置１および室外機８７が備える各弁の開閉および開度の調整を行い、空気調和装置１に冷房運転または暖房運転を開始させる。冷房運転または暖房運転の開始後、マイコン１０１は、リモコン５０の温度設定ボタンの操作により設定された目標設定温度と、吸込温度センサ１０５により検出された吸込空気温度（被調和室内の気温）とを比較し、冷房運転時に吸込空気温度が目標設定温度を所定温度だけ下回った場合、および、暖房運転時に吸込空気の温度が目標設定温度を所定温度だけ上回った場合に、モータ駆動回路８８を制御して圧縮機８９を停止させて、サーモオフする。そして、冷房運転時に吸込空気の温度が目標設定温度より上昇し、或いは暖房運転時に吸込空気の温度が目標設定温度より低下した場合は、モータ駆動回路８８を制御して圧縮機８９を動作させ、サーモオンする。
【００３１】
また、マイコン１０１は、サーモオン時に、熱交換器温度センサ１０６により検出された熱交換器７の温度、或いは、冷媒圧力センサ１０７により検出された冷媒配管内の圧力が予め設定された範囲を超えた場合には、モータ駆動回路８８を制御して圧縮機８９を停止させるとともに、表示部１０８により異常発生を報知する。
また、マイコン１０１は、リモコン５０のスイッチパネル８３に設けられた上昇ボタン８４又は下降ボタン８５の操作により、モータ駆動回路１１０を制御して、フィルタ昇降モータ３９を駆動させる。これにより、フィルタ昇降装置３１が動作して、昇降枠３５〜３８を上昇または下降させてフィルタ３３を昇降させる。
【００３２】
ここで、上記表示部１０８には、フィルタランプ１３０が設けられており、このフィルタランプ１３０によってフィルタ３３の掃除時期が通知される。すなわち、フィルタランプ１３０は、最後にフィルタ３３を掃除したときから空気調和運転の累積時間が所定時間に達したとき、或いは、所定の期間（例えば３ヶ月）ごとに点灯してフィルタ３３の掃除時期を通知する。かかる通知を受けて、ユーザは、上記のようにリモコン５０の下降ボタン８５を操作してフィルタ３３を下降させ、フィルタ３３を取り外して掃除する。その後、ユーザは、フィルタ３３を昇降枠３５〜３８に取り付けて上昇ボタン８４を操作し、空気調和装置本体３にフィルタ３３を収納する。このようにしてフィルタ３３が空気調和装置本体３に収納された状態に復帰したときにフィルタランプ１３０が消灯する。
【００３３】
なお、フィルタランプ１３０が消灯している間に、上記フィルタ３３の下降操作が行われたときにも、フィルタランプ１３０が点灯し、フィルタ３３が空気調和装置本体３に収納された状態に復帰したときに消灯する。このとき、掃除時期としてカウントしている上記空気調和運転の累積時間、或いは、所定の期間の開始時期がリセットされ、初期値からカウントを開始することとなる。
【００３４】
次いで、本実施形態の動作として、フィルタ３３の昇降動作について説明する。
図１１は、フィルタ３３の上昇・下降制御処理を示すフローチャートである。なお、以下に説明するフィルタ３３の上昇・下降制御は、空気調和装置１が空気調和運転を停止しているときにのみ行われるものであり、空気調和運転中においては、リモコン５０によってフィルタ３３の下降指示がなされても、その指示はキャンセルされる。さらに、フィルタ３３の上昇・下降制御処理が行われている間は、空気調和運転が禁止される。
【００３５】
さて、図１１に示すように、フィルタ上昇・下降制御処理においては、マイコン１０１は、リモコン５０の下降ボタン８５の操作を受信するまで待機する（ステップＳ１：Ｎｏ）。そして、下降ボタン８５の操作を受信した場合（ステップＳ１：Ｙｅｓ）、駆動パルス数Ｐｃを初期化する（ステップＳ２）。この駆動パルス数Ｐｃは、フィルタ昇降モータ３９に出力された駆動パルスのカウント値であり、この駆動パルス数Ｐｃに基づいて、フィルタ３３の下降量、或いは、上昇量といった移動量が特定される。
【００３６】
次いで、マイコン１０１は、モータ駆動回路１１０を制御してフィルタ昇降モータ３９に駆動パルスを順次出力し、フィルタ昇降モータ３９を駆動してフィルタ３３の下降を開始し（ステップＳ３）、また、フィルタ昇降モータ３９の駆動制御と並行して、フィルタ昇降モータ３９に出力した駆動パルス数Ｐｃをカウントする（ステップＳ４）。
このようにしてフィルタ３３の下降を開始した後、マイコン１０１は、駆動パルス数Ｐｃが下降駆動パルス数Ｐｄに達したか否かを判断する（ステップＳ５）。この下降駆動パルス数Ｐｄは、空気調和装置本体３に収納されているフィルタ３３を最下降位置Ｘａまで下降させるのに要するフィルタ昇降モータ３９の駆動パルス数を示すものであり、駆動パルス数Ｐｃが下降駆動パルス数Ｐｄに達したか否かを判断することで、フィルタ３３が最下降位置Ｘａに達したか否かが特定される。
【００３７】
ステップＳ５の判断の結果、駆動パルス数Ｐｃが下降駆動パルス数Ｐｄに達した場合、すなわち、フィルタ３３が最下降位置Ｘａに達した場合（ステップＳ５：Ｙｅｓ）、マイコン１０１は、モータ駆動回路１１０を制御してフィルタ昇降モータ３９への駆動パルスの出力を停止し、フィルタ昇降モータ３９の駆動を停止する（ステップＳ６）。
また、マイコン１０１は、フィルタ昇降モータ３９の停止時の上記駆動パルス数Ｐｃを停止時パルス数Ｐｓとしてメモリ１０３に格納し（ステップＳ７）、この停止時パルス数Ｐｓに基づいて、フィルタ３３の移動を停止した時の移動量を特定可能にする。
以上の処理の結果、フィルタ３３は、図１２（Ａ）に示すように、空気調和装置本体３の収納位置Ｘｂから最下降位置Ｘａまで降下してフィルタ３３の全体を露出させた状態で保持される。このようにフィルタ３３の全体が露出するため、フィルタ３３を非常に簡単に取り外し易くなる。
【００３８】
フィルタ３３が最下降位置Ｘａで停止した場合には、フィルタ３３をこれ以上下降させることが無いため、マイコン１０１は、フィルタ３３の上昇指示である、リモコン５０の上昇ボタン８４の操作を待ち受ける（ステップＳ８）。
そして、上昇ボタン８４の操作を受信した場合（ステップＳ８：Ｙｅｓ）、マイコン１０１は、フィルタ３３を上昇させ空気調和装置本体３に収納するために、次の処理を開始する。
すなわち、マイコン１０１は、フィルタ３３を現在の停止位置から空気調和装置本体３に収納するまでに要するフィルタ昇降モータ３９の駆動パルス数を規定する上昇駆動パルス数Ｐｕを設定する（ステップＳ９）。
【００３９】
詳述すると、フィルタ３３の上昇駆動時には、下降時よりも大きな回転トルクを要し、また、フィルタ昇降モータ３９と昇降枠３５〜３８との間に滑りが生じる等のため、フィルタ３３の下降時のパルス数と同数のパルス数でフィルタ昇降モータ３９を駆動しフィルタ３３を上昇させても上昇量が足りず、フィルタ３３を空気調和装置本体３に収納した状態に完全には復帰させることができない事がある。
そこで、本実施形態では、フィルタ３３を上昇させる際に、十分な上昇量を得るために、下降時のパルス数、すなわち、停止時パルス数Ｐｓに対し、マージンとしてのマージンパルス数Ｐｍを加えたパルス数を上昇駆動パルス数Ｐｕに設定する。これにより、フィルタ３３の上昇時に多少の滑り等が生じたとしても、フィルタ３３を空気調和装置本体３に収納した状態に完全に復帰させることができる。
【００４０】
以上のようにして上昇駆動パルス数Ｐｕを設定すると、マイコン１０１は、駆動パルス数Ｐｃを初期化した後（ステップＳ１０）、フィルタ昇降モータ３９に駆動パルスを順次出力することでフィルタ昇降モータ３９を駆動してフィルタ３３の上昇を開始すると共に（ステップＳ１１）、フィルタ昇降モータ３９に出力した駆動パルス数Ｐｃをカウントする（ステップＳ１２）。
【００４１】
フィルタ３３の上昇を開始した後においては、マイコン１０１は、フィルタ３３がリミットスイッチ１２５に当接しスイッチが押されたか否かを検出することで、フィルタ３３が収納状態に復帰したか否かを検出する（ステップＳ１３）。
マイコン１０１は、リミットスイッチ１２５が押されていなければ（ステップＳ１３：Ｎｏ）、フィルタ３３の上昇を継続し、リミットスイッチ１２５が押された場合には（ステップＳ１３：Ｙｅｓ）、フィルタ３３が空気調和装置本体３に収納されたことを示すため、フィルタ昇降モータ３９を停止する（ステップＳ１４）。
【００４２】
このとき、フィルタ３３がリミットスイッチ１２５と当接したタイミングでフィルタ昇降モータ３９を停止したとしても、フィルタ３３が空気調和装置本体３の収納位置Ｘｂに正確に位置している補償は無い。そこで、フィルタ３３を空気調和装置本体３に収納したときに、毎回必ず収納位置Ｘｂにフィルタ３３が位置するようにすべく（いわゆる、ゼロ点復帰）、本実施形態では、リミットスイッチ１２５の押下が検出された後に、さらに、フィルタ昇降モータ３９を上昇駆動して、いわゆる巻き締めを行う。
【００４３】
すなわち、マイコン１０１は、駆動パルス数Ｐｃを初期化した後（ステップＳ１５）、フィルタ昇降モータ３９を上昇駆動すると共に（ステップＳ１６）、このときの駆動パルス数Ｐｃをカウントし（ステップＳ１７）、この駆動パルス数Ｐｃが巻き締め用パルス数Ｐｋに達するまで、フィルタ昇降モータ３９の上昇駆動を継続する。
そして、この駆動パルス数Ｐｃが巻き締め用パルス数Ｐｋに達し、巻き締めが終了した場合には（ステップＳ１８：Ｙｅｓ）、フィルタ３３を空気調和装置本体３の収納位置Ｘｂへの収納が完了したことを示すため、フィルタ昇降モータ３９を停止し（ステップＳ１９）、処理を終了する。
これにより、図１２（Ｂ）に示すように、フィルタ３３が最下降位置Ｘａから上昇し、巻き締め処理を経て、収納位置Ｘｂに確実に復帰することとなる。
【００４４】
さて、フィルタ３３の下降を開始した後においては、リモコン５０の操作によって、フィルタ３３の下降を速やかに停止可能にすべく、マイコン１０１は次の処理を行う。
すなわち、上記ステップＳ５において、駆動パルス数Ｐｃが下降駆動パルス数Ｐｄに達していない場合、すなわち、フィルタ３３が未だ最下降位置Ｘａに達していない場合（ステップＳ５：Ｎｏ）、マイコン１０１は、リモコン５０の下降ボタン８５又は上昇ボタン８４の操作を受信したか否かを判断する（ステップＳ２０）。
そして、リモコン５０の下降ボタン８５又は上昇ボタン８４の操作を受信した場合には（ステップＳ２０：ＹＥＳ）、マイコン１０１は、モータ駆動回路１１０を制御してフィルタ昇降モータ３９への駆動パルス出力を停止し、フィルタ３３の降下を速やかに停止する（ステップＳ２１）。このとき、マイコン１０１は、フィルタ３３の停止位置を記録しておくために、停止時の駆動パルス数Ｐｃを停止時パルス数Ｐｓとしてメモリ１０３に格納する（ステップＳ２２）。
【００４５】
以上の処理により、図１２（Ｃ）に示すように、フィルタ３３の下降開始後において、ユーザがリモコン５０の上昇ボタン８４又は下降ボタン８５を操作した場合には、この操作によって、フィルタ３３の降下が速やかに停止される。これにより、下降しているフィルタ３３が家具等に衝突しそうなときに、ユーザがリモコン５０を操作してフィルタ３３の下降を停止することで、家具等への衝突を防止することが可能になる。
このとき、リモコン５０の上昇ボタン８４及び下降ボタン８５のいずれを操作してもフィルタ３３を停止可能にしたため、ユーザが慌てて操作する場合でも、操作ミスを防ぎ、より確実、かつ、速やかにフィルタ３３を停止させることができる。
【００４６】
フィルタ３３を下降途中で中間停止した場合、マイコン１０１は、リモコン５０の下降ボタン８５又は上昇ボタン８４の操作を受信するまで、中間停止した状態を保持し続ける（ステップＳ２３）。
そして、下降ボタン８５の操作を受信した場合（ステップＳ２３：（１））、マイコン１０１は、フィルタ３３を、現在の中間停止位置Ｘｃから最下降位置Ｘａに向けて下降させるべく、停止時の停止時パルス数Ｐｓを駆動パルス数Ｐｃに再設定した後（ステップＳ２４）、上記ステップＳ３に処理手順を戻す。これにより、図１２（Ｃ）に示すように、中間停止位置Ｘｃからフィルタ３３の下降が再開される。
また、上昇ボタン８４の操作を受信した場合（ステップＳ２３：（２））、マイコン１０１は、処理手順を上記ステップＳ９に移して、中間停止位置からフィルタ３３を上昇させて収納するための処理を開始し、これにより、これにより、図１２（Ｃ）に示すように、中間停止位置Ｘｃからフィルタ３３が上昇される。
【００４７】
このように、フィルタ３３の下降を途中で停止した後に、そのまま上昇させて空気調和装置本体３に収納することができるため、ユーザがフィルタ３３の汚れ具合を確認するためにフィルタ３３を下降させるような場合には、汚れ具体が確認できる程度に僅かにフィルタ３３を引き出して停止し、汚れていればフィルタ３３を最下降位置Ｘａまで降下させ、また、汚れていなければフィルタ３３を上昇させて空気調和装置本体３の収納位置Ｘｂに復帰させる、という使い方もできる。
【００４８】
なお、上記実施の形態は本発明を適用した一態様であり、本発明は上記実施の形態に限定されないのは勿論である。例えば、上記実施の形態では、フィルタ３３は、傾斜して取り付けられたフィルタ昇降装置３１に取り付けられることで付着面３３Ａが上を向いているが、鉛直なフィルタ昇降装置３１にフィルタ３３が傾斜して取り付けられても良く、また、フィルタ昇降装置３１が降下時に鉛直から上向きに傾斜する構成としても良く、その他の細部構成についても任意に変更可能であることは勿論である。
【図面の簡単な説明】
【００４９】
【図１】本発明の実施形態に係る壁掛け型の空気調和装置の斜視図である。
【図２】空気調和装置の断面図である。
【図３】前面パネルを取り外し、フィルタ昇降装置を下降動作し、フィルタを降下した状態を示す図である。
【図４】フィルタ昇降装置の構成を示す図である。
【図５】フィルタの分解斜視図である。
【図６】フィルタ昇降装置を前面側から見た斜視図である。
【図７】フィルタ昇降装置を背面側からみた斜視図である。
【図８】フィルタ昇降装置を作動し、昇降枠が降下し始めた段階を示す図である。
【図９】フィルタ昇降装置を作動し、昇降枠が降下しきった段階を示す図である。
【図１０】空気調和装置の電気的構成を示す図である。
【図１１】フィルタ降下・上昇制御のフローチャートである。
【図１２】フィルタの昇降動作を模式的に示す図である。
【符号の説明】
【００５０】
１      空気調和装置
３      空気調和装置本体
５      前面パネル
７      熱交換器
９      送風機
１１    前面
１３    天面
１５    吸込口
１７    吸込口
３１    フィルタ昇降装置
３３    フィルタ
３３Ａ  付着面
３５〜３８    昇降枠
３６    昇降枠
３９    フィルタ昇降モータ
４１    第１ベルト
４２    第２ベルト
５１    連結軸
５３    ピニオン
５５    ラック
【図１】
0005180552.tif 000002
【図２】
0005180552.tif 000003
【図３】
0005180552.tif 000004
【図４】
0005180552.tif 000005
【図５】
0005180552.tif 000006
【図６】
0005180552.tif 000007
【図７】
0005180552.tif 000008
【図８】
0005180552.tif 000009
【図９】
0005180552.tif 000010
【図１０】
0005180552.tif 000011
【図１１】
0005180552.tif 000012
【図１２】
0005180552.tif 000013